(57)【要約】      （修正有）【課題】折畳み自在且つ携帯自在のエコノミクラス症候群防止用足裏刺激板に関し、特に長距離又は長時間着座に依る下半身の血行不良の為の血栓症，梗塞症の発生を有効に防止する携帯型足裏刺激板を提供する。【解決手段】一対の弾力性硬板上に、両足の足裏型を形成し、此の足裏型部の前、後湧腺つぼ相当部及び土踏まずつぼ相当部に、円形の大突起と三日月状大突起とを設けると共に、夫々の第一指関節つぼ相当部に円弧状の中突起を設け、更に此れ等足型の余白生地部に無数の小突起を敷設して、疲労回復用の踏み板、摺り板として作用させると同時に、前記一対の硬板を蝶番、接着テープ、布又は紐で折畳み自在又は積層自在に連結し、必要に応じて袋、容器等に収納して持ち運び自在とした事を特徴とする。【選択図】図１
0003142724.tif 000002
【実用新案登録請求の範囲】
【請求項１】
適当な弾性を有すると共に、足裏の前後湧腺つぼ位置相当部（６）（７）に円形状大突起を、土踏まずつぼ位置相当部に三日月状大突起（８）を、又足指第一関節つぼ位置相当部に円弧状の指枕中突起（１０）を、その他の生地部の適所に多数の小突起（１１）（１２）（１３）．．．を、夫々敷設した一足の足裏形部を備え且つ折畳み自在に構成された硬質の足裏刺激基板（１）より成り、その表面を耐摩耗性の布で被覆し、その裏面を摩擦面とした事を特徴とする携帯自在のエコノミークラス症候群防止用足裏刺激板。
【請求項２】
前記携帯自在のエコノミークラス症候群防止用足裏刺激板が、左右一足の同寸法の足型を持つ二枚の対象的な弾性板より成ると共に、適当数の蝶番、接着テープ、布、又は紐等で折畳み自在又は積層自在に連結され、必要に応じて、袋又は容器等に収納されて持ち運び得る様に構成された事を特徴とする請求項１記載の足裏刺激板。
【考案の詳細な説明】
【考案の詳細な説明】
【技術分野】
【０００１】        本考案は、折り畳み自在のエコノミークラス症候群防止用足裏刺激板に関し、特に長距離旅行等に於ける脚部のうっ血並びにむくみを防止する為の足裏刺激板に関するものである。
【技術的背景】
【０００２】        本来、足裏は第２の心臓とも云われ、足裏を刺激する事，換言すれば、足裏の血流を良くする事は、心臓の運動即ち心臓のポンプ作用を補助する動作と云われており、古来から青竹踏み、素足歩きが推奨されている。
【０００３】        更に又、近時の食生活や自動車社会に依る運動不足に依り、循環系の疾病の多発が社会問題化したり、長時間の乗り物旅行等に依る血液の粘性の為の血栓症等がクローズアップされるに至っている。
【０００４】        この様な循環系の疾病を予防、改善する為の手軽な足裏及び脚部の刺激による下半身の血流の向上が推奨され、手軽に出来る歩行運動や、大小の突起を備えた踏み板等の使用が推奨され、近年では、健康維持のための一種の社会現象となるまでに至っている。
【０００５】        そこで本考案者も又、大小様々な弾力性突起を備えた靴中敷や、踏み板或いは摺り板等を提供して、此れ等の疾病の防止並びに足部の疲労回復用に種々提案して、夫々それなりの効果を得る事を実証した。
例えば、夜間長距離高速バス乗車に際し、大小様々な突起を備えた一足の中敷又は一枚の足型踏み板を使用して、前席に設けられたリクラインシートの足掛け板上に此れを敷設し、乗車１２時間中、５分間程度の踏み板又は摺り板運動を５回間歇的に繰り返す事にに依り、下車時の足の浮腫みを完全に防止し得る事を確認する事が出来た。
【特許文献１】  実用新案登録第３０６４８５９号
【考案の開示】
【考案が解決しようとする課題】
【０００６】        然しながら、上記特許文献の技術は、主として大小様々な突起を有する靴中敷に関するもので、材質の硬さ、及び厚み等に於いて其の効果は相違し、特に長距離乗り物旅行の場合の如く、着席のままで踏み板として使用する場合の効果は殆ど期待はする事が出来ず、単に足裏を前後に摩擦する摺り板として使用する場合にのみ、多少の効果を認める事が出来たに過ぎなかった。
更に又、一足の足型を備えた踏み板又は摺り板を、長距離旅行に携帯し、狭い座席間で使用するには甚だ不便且つ困難であり、特にリクラインシートに寄りかかっての足踏み使用では、足裏に力が入らず、又、前席の足掛け板に此れを載せて使用するとしても，摺り足効果は別として踏み板効果は全く期待出来ず、摺り足運動の場合にはずり落ちてしまう不都合が発生する。
本考案は、この様な不便、不都合を解決し得る携帯用足裏刺激板を提供し、長距離旅行等に於ける脚部のうっ血、循環系の血栓発生等の生理的不都合を防止、改善する事を課題とするものである。
【課題を解決するための手段】
【０００７】        此の様な課題を解決する為に、折り畳み自在の弾力性の合成樹脂又はゴム板上の足裏の前後湧腺及び土踏まず部に相当する箇所に、円形及び三ヶ月状の大突起を設けると共に、足指第一関節に相当する部分に、中程度の円弧状の指枕を設け、更にその他の足型部には無数の小突起を突設し、その中央部を折り畳み自在且つ携帯自在に連結して、必要に応じて旅行用バッグのポケット等に収納して持ち歩き得る様に形成した事を特徴とし、更にはリクライン状の座席での摺り足動作を可能にする為、其の裏側を粗面とするか、或いは細い溝状の摩擦面に形成するかして，傾斜面上での摺り足動作を可能とした事を他の特徴とするものである。
【考案の効果】
【０００８】        此の様にして、本考案の足裏つぼ刺激用板は、家庭等での健康踏み板として利用されるばかりでなく、腰掛け状態特にリクライン椅子に着座した状態でも摺り板として利用する事が出来て、長距離旅行等による脚部の鬱血若しくは浮腫み等を防止すると共に、エコノミークラス症候群等の発病を防止し得る携帯用健康板として、又安価且つ新規な健康ギフト並びに促販品として有効に利用出来る利益を付帯している。
【考案を実施する為の最良の形態】
【０００９】        本考案を実施する為の最良の形態は、先ず第一に弾性のゴムプラスチック板上に一足の足型を形成し、此の足型上の前後の湧腺つぼ位置及び土踏まず位置に、円形及び三ヶ月状の大突起を、足指第一関節部に中程度の高さの円弧状指枕突起を、更に他の足型空白部に無数の小突起を夫々設け、その板の裏面には、摩擦抵抗を大きくするための適当な加工を施した後、その中央部を切り離し、適当な手段で折り畳み自在の一対の足裏刺激板に形成し、その折り畳んだ状態で一個の袋等に収納して携帯し、必要に応じて此れを広げて踏み板にも摺り板にも使用し得る様に構成した事を特徴とする。
以下、本考案の好個の実施例を図面を参照して説明する。
【実施例】
【００１０】        図１に於いて、符号（１）は、本考案の折畳み自在の足裏刺激板特にエコノミークラス症候群防止用として使用し得る如く構成した１足分の足裏刺激部分を左右に備えた折畳み携帯用の器具を示している。【００１１】        此の足裏刺激板（１）は、１足の足型部（４）（５）を備え、蝶番（１５）（１６）又は均等物で折畳み自在、携帯自在に連結された均等な二枚の弾力性板（２）（３）より成るもので、前記足型部（４）（５）には、その上に乗せられる足裏の前後湧腺つぼ相当部に円形の大突起（６）（７）が、土踏まずのつぼ相当部に高さ１０ｍｍ、幅８ｍｍの三日月状の大突起が、又足指部の第一関節つぼ相当部に、指枕と称せられる土踏まず部と中程度の円弧丘状の突起（１０）を設け、その他の板生地部には、種々な小突起（１１）（１２）（１３）を不規則に設けると共に、更にその上面には、耐摩耗性各種布或いはメッシュ状布、例えばアクリルニトリル、ポリエステル製織物（１４）で被覆接着した構造より成る。【００１２】        此の様な足裏刺激板（１）は又、図４に示す如く、その裏面を租面とするか又は細い溝（１８）（１８）．．．を設けるかして、摺り板として使用する場合の滑り止め効果を与える様に加工されている。
更に又、此れ等一対の半足板（２）（３）は、前記蝶番（１５）（１６）に代えて一枚の接着板、布、或はテープ（１７）で連結するか又は一本の紐で連結して折畳み自在、携帯自在にする事も可能である。【００１３】        斯くの如き構成に依り、通常の踏み板又は摺り板として使用する場合には、図１の如く広げられた踏み板（１）の左右足型（４）（５）上に各自の足裏を重ね合わせて、適宜足踏み又は摺り足を繰り返して、足裏面上の血管、リンパ腺等を刺激し、夫々の流れを活性化させ、夫々の粘性化を防止して、此れ等重要な循環系の体液の閉塞又は梗塞を防止する。【００１４】        更に又、航空機、列車、バス等に依る長距離旅行時の通常の着座姿勢（Ｍ）の場合には、床面上に敷かれた踏み板（１）を（Ｗ）で示す上下方向に足踏みするか、体重を掛けて足裏の前湧腺、後湧腺、土踏まず部、及び指枕部の各つぼ部を、指圧状に刺激し、上記足踏み指圧には及ばないにしても、血流、リンパ流をそれ相当に刺激して活性化し、足部の浮腫み、血流の粘性化を防止する事が出来る。【００１５】        一方、乗客（Ｍ）が座席シート（２０）の背もたれ（１９）を倒して（１９‘）の如くリクライン姿勢をとった場合、換言すれば就寝状態にある場合等では、前席背部下に設けられた後部座席乗客（Ｍ）の足掛け部（２１）上に、前記踏み板（１）を載置すると共に、乗客自身の足首（Ａ）をその上に乗せて、（Ｚ）方向に繰り返し摩擦すると、足裏の血行が促進され、暖かさが実感されてくるので、引き続き此の運動を繰り返すと、下足部の気だるさ、重苦しさが徐々に開放されてくるのが実感される。
実験に依ると、１０−１２時間の長距離夜間旅行に於いては、その全行程中、此の様な３−５分間の足摺り又は足踏み運動を４乃至５回繰り返す事に依り、下車時の足の浮腫みは全く感ぜざれず、靴の着用時にも、靴べらを全く必要とせずに易々と着用し得る程度の変化に過ぎなかった。
特にリクラインシートでの（Ｚ）方向えの足摺り運動は、足裏刺激板（１）のずり落ちも無く、略就寝姿勢のままで楽に此の運動を行い得るので、極めて有効な健康摺り板として推奨し得ると考えられる。【００１６】        更に又、此の板（１）は、図５の想像線（２２）で示す如く、適宜装飾、宣伝用に印刷されたコンパクトな包装袋又は容器に収納して携帯自在とすることに依り、長距離旅行用の携帯備品として常用する事が出来、製造コストを許容範囲内に留める事が出来れば、ギフト，プレミヤ用品として大量の需要が見込まれると推測される。
【図面の簡単な説明】
【００１９】
【図１】      本考案の足裏刺激板の展開平面図である。
【図２】      図１の線ＩＩ−ＩＩに沿って切断した断面図である。
【図３】      図１の前湧腺部近辺を明示する拡大断面図である。
【図４】      本考案の足裏刺激板の他の態様を示す展開裏面図である。
【図５】      図１の足裏刺激板を折畳み、所定の包装袋に収納した場合を示す側面図である。
【図６】      長距離旅行時の本考案の足裏刺激板の使用態様を示す説明図である。
【符号の説明】
１      本考案の足裏刺激板
２      右半足板
３      左半足板
４      右半足型
５      左半足型
６      前湧腺つぼ相当部の大突起
７      後湧腺つぼ相当部の大突起
８      土踏まずつぼ相当部の大突起
１０    指枕部の中突起
【図１】
0003142724.tif 000003
【図２】
0003142724.tif 000004
【図３】
0003142724.tif 000005
【図４】
0003142724.tif 000006
【図５】
0003142724.tif 000007
【図６】
0003142724.tif 000008